(57)【要約】【課題】遠距離側と近距離側の表示が切換わる付近で焦点をこまめに変更しようとした場合、遠距離・近距離のバーグラフの表示の切り換えが頻繁に行われるために煩わしさを解消する。【解決手段】合焦する被写体の撮像装置からの距離をインジケータで表示する表示手段と、第１の範囲内の距離を示すことが可能なインジケータの表示と、前記第１の範囲に重複する範囲を有する第２の範囲内の距離を示すことが可能なインジケータの表示とを切り換える制御手段とを有することを特徴とする。【選択図】　　　図５
2004094103.tif 000002
【特許請求の範囲】
【請求項１】
合焦する被写体の撮像装置からの距離をインジケータで表示する表示手段と、
第１の範囲内の距離を示すことが可能なインジケータの表示と、前記第１の範囲に重複する範囲を有する第２の範囲内の距離を示すことが可能なインジケータの表示とを切り換える制御手段とを有することを特徴とする撮像装置。
【請求項２】
請求項１において、前記制御手段は、前記第１の範囲内の距離を示すことが可能なインジケータが表示されている状態であって、合焦する被写体の撮像装置からの距離が第１の値より小さいときには前記第２の範囲内の距離を示すことが可能なインジケータを表示させ、
前記第２の範囲内の距離を示すことが可能なインジケータが表示されている状態であって、合焦する被写体の撮像装置からの距離が、前記第１の値より大きい第２の値と比較して大きいときには前記第１の範囲内の距離を示すことが可能なインジケータを表示させることを特徴とする撮像装置。
【請求項３】
請求項１において、前記制御手段は、前記撮像装置の利用者が手動で焦点を調節するときに前記インジケータを表示させることを特徴とする撮像装置。
【請求項４】
合焦する被写体の撮像装置からの距離をインジケータで表示する表示手段を有する撮像装置の動作処理方法であって、
第１の範囲内の距離を示すことが可能なインジケータの表示と、前記第１の範囲に重複する範囲を有する第２の範囲内の距離を示すことが可能なインジケータの表示とを切り換えることを特徴とする動作処理方法。
【請求項５】
請求項４において、前記第１の範囲内の距離を示すことが可能なインジケータが表示されている状態であって、合焦する被写体の撮像装置からの距離が第１の値より小さいときには前記第２の範囲内の距離を示すことが可能なインジケータを表示させ、
前記第２の範囲内の距離を示すことが可能なインジケータが表示されている状態であって、合焦する被写体の撮像装置からの距離が、前記第１の値より大きい第２の値と比較して大きいときには前記第１の範囲内の距離を示すことが可能なインジケータを表示させることを特徴とする動作処理方法。
【請求項６】
請求項４において、前記撮像装置の利用者が手動で焦点を調節するときに前記インジケータを表示させることを特徴とする動作処理方法。
【請求項７】
請求項４ないし請求項６の何れか１項の撮像装置の動作処理方法を実行するためのプログラム。
【請求項８】
請求項７のプログラムを記憶した記憶媒体。
【発明の詳細な説明】
【０００１】
【発明の属する技術分野】
本発明は、合焦している被写体の装置から距離をバー表示する撮像装置に関するものである。
【０００２】
【従来の技術】
従来、デジタルカメラなどの撮像装置において、利用者の操作により焦点を調節する場合に、ＬＣＤ等の表示部材に合焦する被写体の位置示すために、バーグラフを用いることにより、全体に対して合焦している被写体の距離がどこに位置するのかを表示させるものがある。このような場合において、ＬＣＤの表示領域に限りがあるため設定可能な距離を全て表示してしまうと表示が小さくなり、判読しづらくなるという欠点があり、対策として遠距離、近距離で表示領域を分けて表示するという対策が行われている。
【０００３】
【発明が解決しようとする課題】
しかしながら、上述の方法では遠距離側と近距離側の表示が切換わる付近で焦点をこまめに変更しようとした場合、遠距離・近距離のバーグラフの表示の切り換えが頻繁に行われるために煩わしさを感じるという問題があった。
【０００４】
【課題を解決するための手段】
上述した問題を解決するため、本願発明によれば、合焦する被写体の撮像装置からの距離をインジケータで表示する表示手段と、第１の範囲内の距離を示すことが可能なインジケータの表示と、前記第１の範囲に重複する範囲を有する第２の範囲内の距離を示すことが可能なインジケータの表示とを切り換える制御手段とを有することを特徴とする撮像装置を提供する。
【０００５】
また、合焦する被写体の撮像装置からの距離をインジケータで表示する表示手段を有する撮像装置の動作処理方法であって、第１の範囲内の距離を示すことが可能なインジケータの表示と、前記第１の範囲に重複する範囲を有する第２の範囲内の距離を示すことが可能なインジケータの表示とを切り換えることを特徴とする動作処理方法を提供する。
【０００６】
【発明の実施の形態】
以下、添付の図面に沿って本発明の実施の形態を説明する。
【０００７】
図１は、本実施形態による撮像装置の主要構成を示すブロック図である。
【０００８】
図１において、撮像装置本体１００は以下によって構成される。
【０００９】
１０は撮影レンズ、１２は絞り機能を備えるシャッター、１４は光学像を電気信号に変換する撮像素子、１６は撮像素子１４のアナログ信号出力をディジタル信号に変換するＡ／Ｄ変換器である。
【００１０】
タイミング発生回路１８は、撮像素子１４、Ａ／Ｄ変換器１６、Ｄ／Ａ変換器２６にクロック信号や制御信号を供給するものであり、メモリ制御回路２２及びシステム制御回路５０により制御される。
【００１１】
画像処理回路２０は、Ａ／Ｄ変換器１６からのデータ或いはメモリ制御回路２２からのデータに対して所定の画素補間処理や色変換処理を行う。また画像処理回路２０によって画像の切り出し、拡大処理を行うことで電子ズーム機能が実現される。
【００１２】
また、画像処理回路２０においては、撮像した画像データを用いて所定の演算処理を行い、得られた演算結果に基づいてシステム制御回路５０が露光制御回路４０、焦点制御回路４２に対して制御を行う、焦点制御回路４２ではＴＴＬ（スルー・ザ・レンズ）方式のＡＦ（オートフォーカス）処理、ＡＥ（自動露出）処理、露光制御回路４０ではＥＦ（フラッシュプリ発光）処理を行うことが可能である。
【００１３】
更に、画像処理回路２０においては、撮像した画像データを用いて所定の演算処理を行い、得られた演算結果に基づいてＴＴＬ方式のＡＷＢ（オートホワイトバランス）処理を実行する。
【００１４】
メモリ制御回路２２は、Ａ／Ｄ変換器１６、タイミング発生回路１８、画像処理回路２０、画像表示メモリ２４、Ｄ／Ａ変換器２６、メモリ３０、圧縮・伸長回路３２を制御する。
【００１５】
なお、Ａ／Ｄ変換器１６から出力された画像データは、画像処理回路２０、メモリ制御回路２２を介して、或いはＡ／Ｄ変換器１６のデータが直接メモリ制御回路２２を介して、画像表示メモリ２４或いはメモリ３０に書き込まれる。
【００１６】
２４は画像表示メモリ、２６はＤ／Ａ変換器、２８はＴＦＴ　ＬＣＤ等から成る画像表示部であり、画像表示メモリ２４に書き込まれた表示用の画像データはＤ／Ａ変換器２６を介して画像表示部２８により表示される。
【００１７】
なお、撮像した画像データを、画像表示部２８を用いて逐次表示すれば、電子ファインダ機能を実現することが可能である。また、画像表示部２８は、システム制御回路５０の指示により任意に表示をオン／オフすることが可能であり、表示をオフにした場合には撮像装置１００の電力消費を大幅に低減することができる。
【００１８】
撮影した静止画像や動画像を格納するためのメモリ３０は、所定枚数の静止画像や所定時間の動画像を格納するのに十分な記憶量を備えている。また、メモリ３０はシステム制御回路５０の作業領域としても使用することが可能である。
【００１９】
適応離散コサイン変換（ＡＤＣＴ）等により画像データを圧縮伸長する圧縮・伸長回路３２は、メモリ３０に格納された画像を読み込んで圧縮処理或いは伸長処理を行い、処理を終えたデータをメモリ３０に書き込む、これらのデータは後述の記憶媒体に画像データを取り込んだ際の情報、例えば撮影日時、連写、パノラマ撮影をした等の情報とともに、格納される。
【００２０】
絞り機能を備えるシャッター１２を制御する露光制御回路４０は、フラッシュ４８と連携することによりフラッシュ調光機能も有するものである。
【００２１】
４２は撮影レンズ１０のフォーカシングを制御する焦点制御回路であり、
４４は撮影レンズ１０のズーミングを制御するズーム制御回路である。また、４８は被写体を照明するためのフラッシュであり、ＡＦ補助光の投光機能、フラッシュ調光機能も有する。
【００２２】
露光制御回路４０、焦点制御回路４２はＴＴＬ方式を用いて制御されており、撮像した画像データを画像処理回路２０によって演算した演算結果に基づき、システム制御回路５０が露光制御回路４０、焦点制御回路４２に対して制御を行う。
【００２３】
また、焦点制御回路に４２に対しては現在の距離に対して遠距離側への移動、近距離側への移動を指示することおよび、現在の制御距離を取得することも可能である。
【００２４】
システム制御回路５０は撮像装置１００全体を制御し、メモリ５２はシステム制御回路５０の動作用の定数、変数、プログラム等を記憶する。通知部５４はシステム制御回路５０でのプログラムの実行に応じて、文字、画像、音声等を用いて動作状態やメッセージ等を通知するものであり、撮像装置１００の操作部近辺の視認し易い位置に単数或いは複数個所設置され、例えばＬＣＤやＬＥＤ、発音素子等の組み合わせにより構成されている。
【００２５】
不揮発性メモリ５６は電気的に消去・記録可能であり、例えばＥＥＰＲＯＭ等が用いられる。
【００２６】
操作部材６０、６２、６４、６６及び７０は、システム制御回路５０の各種の動作指示を入力するためのものであり、スイッチやダイアル、タッチパネル、視線検知によるポインティング、音声認識装置等の単数或いは複数の組み合わせで構成される。
【００２７】
ここで、これらの操作部材の具体的な説明を行う。モードダイアルスイッチ６０は、電源オフ、自動撮影モード、撮影モード、パノラマ撮影モード、再生モード、マルチ画面再生等の各機能モードを切り替え設定することができる。
【００２８】
シャッタースイッチＳＷ１−６２は、不図示のシャッタボタンの操作途中でオンとなり、ＡＦ（オートフォーカス）処理、ＡＥ（自動露出）処理、ＡＷＢ（オートホワイトバランス）処理、ＥＦ（フラッシュプリ発光）処理等の動作開始を指示する。
【００２９】
シャッタースイッチＳＷ２−６４は、不図示のシャッタボタンの操作完了でオンとなり、撮像素子１２から読み出した信号をＡ／Ｄ変換器１６、メモリ制御回路２２を介してメモリ３０に画像データを書き込む露光処理、画像処理回路２０やメモリ制御回路２２での演算を用いた現像処理、メモリ３０から画像データを読み出し、圧縮・伸長回路３２で圧縮を行い、記録媒体２００或いは２１０に画像データを書き込む記録処理という一連の処理の動作開始を指示する。
【００３０】
画像表示オン／オフ・スイッチ６６は、画像表示部２８のオン／オフを設定することができる。
【００３１】
この機能により、光学ファインダ１０４を用いて撮影を行う際に、ＴＦＴ　ＬＣＤ等から成る画像表示部２８への電流供給を遮断することにより、省電力を図ることが可能となる。
【００３２】
クイックレビュー・オン／オフ・スイッチ６８は、撮影直後に撮影した画像データを画像表示部２８上に自動再生するクイックレビュー機能を設定する。操作部７０は、メニューボタン、セットボタン、ＭＦボタン、フラッシュ設定ボタン、単写／連写／セルフタイマー切り替えボタン、十字ボタン、ズーム操作ボタン等を有する。なお、本実施形態では特に、上記スイッチ、操作部による入力検出を行い、システム制御部５０によってスイッチ操作の判断がおこなわれ、釦類の操作に対してアクションが行われる。
【００３３】
電源制御部８０は、電池検出回路、ＤＣ−ＤＣコンバータ、通電するブロックを切り換えるスイッチ回路等により構成されており、電池の装着の有無、電池の種類、電池残量の検出を行い、検出結果及びシステム制御回路５０の指示に基づいてＤＣ−ＤＣコンバータを制御し、必要な電圧を必要な期間、記録媒体を含む各部へ供給する。
【００３４】
８２はコネクタ、８４はコネクタ、８６はアルカリ電池やリチウム電池等の一次電池やＮｉＣｄ電池やＮｉＭＨ電池、Ｌｉ電池等の二次電池、ＡＣアダプター等からなる電源部である。
【００３５】
９０及び９４はメモリカードやハードディスク等の記録媒体とのインターフェース、９２及び９６はメモリカードやハードディスク等の記録媒体と接続を行うコネクタ、９８はコネクタ９２及び或いは９６に記録媒体２００或いは２１０が装着されているか否かを検知する記録媒体着脱検知部である。
【００３６】
なお、本実施形態では記録媒体を取り付けるインターフェース及びコネクタを２系統持つものとして説明している。もちろん、記録媒体を取り付けるインターフェース及びコネクタは、単数或いは複数、いずれの系統数を備える構成としても構わない。また、異なる規格のインターフェース及びコネクタを組み合わせて備える構成としても構わない。
【００３７】
インターフェース及びコネクタとしては、ＰＣＭＣＩＡカードやＣＦ（コンパクトフラッシュ（Ｒ））カード等の規格に準拠したものを用いて構成して構わない。
【００３８】
更に、インターフェース９０及び９４、そしてコネクタ９２及び９６をＰＣＭＣＩＡカードやＣＦ（コンパクトフラッシュ（Ｒ））カード等の規格に準拠したものを用いて構成した場合、ＬＡＮカードやモデムカード、ＵＳＢカード、ＩＥＥＥ１３９４カード、Ｐ１２８４カード、ＳＣＳＩカード、ＰＨＳ等の通信カード、等の各種通信カードを接続することにより、他のコンピュータやプリンタ等の周辺機器との間で画像データや画像データに付属した管理情報を転送し合うことができる。
【００３９】
１０４は光学ファインダであり、画像表示部２８による電子ファインダ機能を使用すること無しに、光学ファインダのみを用いて撮影を行うことが可能である。
【００４０】
１１０は通信部で、ＲＳ２３２ＣやＵＳＢ、ＩＥＥＥ１３９４、Ｐ１２８４、ＳＣＳＩ、モデム、ＬＡＮ、無線通信、等の各種通信機能を有する。
【００４１】
１１２は通信部１１０により撮像装置１００を他の機器と接続するコネクタ或いは無線通信の場合はアンテナである。
【００４２】
２００，２１０はメモリカードやハードディスク等の記録媒体である。記録媒体２００，２１０は、半導体メモリや磁気ディスク等から構成される記録部２０２，２１２、撮像装置１００とのインターフェース２０４，２１４、撮像装置１００と接続を行うコネクタ２０６，２１６を備えている。
【００４３】
図２は、撮像装置の斜視図である。２−７は６０に対応するモードダイアルスイッチで、電源オフ、自動撮影モード、撮影モード、パノラマ撮影モード、再生モード、マルチ画面再生等の各機能モードを切り替え設定することができる。
【００４４】
例えばダイアル２−７で再生モードを選択するポジションを選ぶことにより、画像を再生する再生モードで、またマニュアル撮影モードを選択するポジションを選択することにより、被写体像を撮影する撮影モードで撮像装置を起動することが可能である。カメラの撮影画像は、ＬＣＤ（液晶ディスプレイ）などの画像表示部２−９（画像表示部２８に対応する）に表示される。
【００４５】
また、図１の操作部７０の操作ボタンに対応するものとして、セットボタン２−１、メニューボタン２−２、ＭＦボタン２−３、十字ボタン２−４、ドライブボタン（単写・連写・セルフタイマー切り替えボタン）２−５、ＤＩＳＰＬＡＹボタン２−６が配置される。また、２−８シャッタボタンはＳｗ１−６２・Ｓｗ２−６４に対応し、軽く押し込むことによりＳｗ１−６２がＯｎとなり、さらに深く押し込むとＳｗ２−６４がＯｎになるような構成になっている。
次に本実施の形態の特徴とする、ＭＦボタン２−３を用いて利用者が撮像装置の焦点を調節する場合の操作方法について以下に説明する。
【００４６】
上述の様に本実施の形態における撮像装置は、自動で焦点を調節するＡＦ（オートフォーカス）を用いた焦点調節も可能であるが、利用者はＭＦボタン２−３を以下のように操作することで、ＭＦ（マニュアルフォーカス）で動作する制御モードを指定し、また、ＭＦモードにおいて、合焦する被写体の距離の指定をすることが可能である。
１．撮像装置がＡＦモードである場合にＭＦボタン２−３を押下・・・動作モードが利用者の手動で焦点を調節するＭＦに移行する。
２．撮像装置がＭＦ動作モードである場合にＭＦボタン２−３を押下したまま２−４の十字ボタンの上方向を押下する・・・合焦する被写体距離が遠距離側となるように焦点制御回路４２によって撮像レンズ１０を駆動させる。
３．撮像装置がＭＦ動作モードである場合にＭＦボタン２−３を押下したまま２−４の十字ボタンの下方向を押下する・・・合焦する被写体距離が近距離側となるように焦点制御回路４２によって撮像レンズ１０を駆動させる。
４．２．もしくは４．の場合にＭＦボタン２−３、もしくは十字ボタンのどちらかを離す・・・撮像レンズ１０の駆動が停止し、焦点の調節動作が停止する。
５．撮像装置がＭＦ動作モードである場合にＭＦボタン２−３を押下し、上記２，３いずれの操作も行わず、ＭＦボタン２−３を離す・・・動作モードをＡＦモードに移行する。
【００４７】
上記操作により、ＭＦで動作する制御モードに移行した場合には、撮影画像に重畳して、画像表示部２−９上に現在合焦している被写体の撮像装置１００からの距離を示すインジケータおよびＭＦモードを示すアイコンが表示される。
【００４８】
このため利用者はＭＦボタン２−３を押した際に上記インジケータやアイコンの表示・非表示を確認することにより、撮像装置１００が現在どちらのモードで動作しているかを認識することが可能である。また合焦する被写体の距離によって、遠距離の範囲を示すことのできるインジケータ５−１、近距離の範囲を示すことのできるインジケータ５−２の２種類のインジケータが切り換えて表示される。それぞれの例を図５（ａ），（ｂ）に示す。図５に示すように、本実施の形態では、インジケータとしてバーグラフを用いており、図５（ａ）（ｂ）のそれぞれにおいて互いに示すことが可能な範囲が重複している。なお、本実施の形態ではバーグラフを用いているが、所定の範囲のうちの現在位置（距離）を示すことのできるインジケータであれば本実施の形態に適用することができる。
【００４９】
そして、図３に示すシステム制御５０の動作処理フローチャートを用いて上記インジケータの表示制御方法に関して説明する。なお、メモリ５０に遠距離側の距離テーブルＴＡＢ＿Ａ（４−１）、近距離側の距離テーブルＴＡＢ＿Ｂ（４−２）の２つのテーブルを有しており、図３の処理においてこれらのテーブルを用いて実際のインジケータの表示が行われる。
【００５０】
また図４のテーブル４−１、４−２において、それぞれ４−３，４−４および、４−５，４−６といずれも５０ｃｍ，４０ｃｍと共通した値を有している。これらの大きい値、すなわち、５０ｃｍをＶＡＬ＿Ａ小さい値、即ち４０ｃｍをＶＡＬ＿Ｂとして以下の説明に用いる。
【００５１】
さらに、焦点制御回路４２から現在の撮像レンズ１０の位置を取得することが可能である。そのため、上記操作によって焦点距離を移動した場合は現在設定されている撮像レンズ１０の位置を取得し、その撮像レンズの位置に対応する合焦している被写体距離との関係を示す不図示のテーブルから被写体の距離が求められる。
【００５２】
まずステップＳ３−１において、既にインジケータが表示中かどうか判別し、表示中でない場合は、ステップＳ３−２に進み、ＴＡＢ＿ＡかＴＡＢ＿Ｂいずれのテーブルに基づくインジケータを表示させるかどうかを決定する。
ステップＳ３−２において、与えられた現在の距離がＶＡＬ＿Ｂ以上かどうかを判別する。ここでＶＡＬ＿Ｂ以上と判断された場合はステップＳ３−３に進み、インジケータの表示に用いるテーブル（以下ＴＡＢと称する）をＴＡＢ＿Ａに設定する。つまり、この場合は遠距離側のインジケータが表示されることになる。
【００５３】
一方、ステップＳ３−２でＮｏと判断された場合は、ステップＳ３−４に進み、ＴＡＢとしてＴＡＢ＿Ｂが設定され近距離側のインジケータが表示されることになる。
【００５４】
その後ステップＳ３−５に進み、現在合焦している被写体の距離を保持しておくための変数（Ｆｏｃｕｓ）をＰｒｅｖに記憶し、Ｓ３−１０の処理において、その変数に対応するインジケータの描画を行う。なお、ステップＳ３−１０では該当テーブルに含まれる距離要素の数と現在の距離がそのうち何番目に存在するかの比較することにより、インジケータ全体の何割を所定の色を用いて塗りつぶせばよいか判断し、インジケータを描画する。
【００５５】
ところで、ステップＳ３−１の判断において、既に表示中の場合はステップＳ３−６に進み、現在使用中のテーブルをＴＡＢ＿ＡからＴＡＢ＿Ｂに変更するもしくはＴＡＢ＿ＢからＴＡＢ＿Ａに変更する必要があるかどうかを現在合焦している被写体の距離に応じて決定する。
【００５６】
ステップＳ３−６において、今回与えられた距離がＶＡＬ＿Ａ以上（Ｆｏｃｕｓ≧ＶＡＬ＿Ａ）であり、かつ直前に表示した距離がＶＡＬ＿Ａより小さい（Ｐｒｅｖ＜ＶＡＬ＿Ａ）と判断される場合は、ステップＳ３−７に進み、ＴＡＢ＿ＢからＴＡＢ＿Ａへの切り替えが行われる。
【００５７】
一方、ステップＳ３−６でテーブルの切り替えが必要でないと判断された場合はステップＳ３−８の処理に進み、今回与えられた距離がＶＡＬ＿Ｂよりも小さく（Ｆｏｃｕｓ＜ＶＡＬ＿Ｂ）、かつ直前に表示した距離がＶＡＬ＿Ｂ以上（Ｐｒｅｖ≧ＶＡＬ＿Ａ）であると判断された場合には、ステップＳ３−９に進み、ＴＡＢ＿ＡからＴＡＢ＿Ｂへの切り替えが行われる。ここで、テーブルの切り替えが必要でないと判断された場合は現在使用中のテーブルがそのまま用いられる。上述した処理により使用すべきテーブルが決定され、ステップＳ３−１０の処理においてインジケータの描画が行われる。
【００５８】
以上説明したように、本実施形態によれば、マニュアルフォーカスモードにおいて利用者が焦点を調節する場合、合焦する被写体の距離を示すインジケータを遠距離、近距離に応じて切り換えて表示しているが、近距離、遠距離のインジケータの切り替え判別に両方のインジケータで共通に表示しうる重複した範囲（４０ｃｍ〜５０ｃｍ）を有することでインジケータの切り替わり頻度を低減している。
【００５９】
なお、本実施の形態においては、図４に示されたテーブルの数値を用いると、図５（ａ）に示された遠距離側のインジケータは距離∞〜４０ｃｍまで、図５（ｂ）に示された近距離側のインジケータは５０ｃｍ〜２ｃｍまで表現可能となるが、本発明に於いて合焦制御可能な距離の範囲、および、切り替わる距離、距離に応じたインジケータで共通に表現しうる距離範囲の大きさ等はテーブルの数値の持ち方を変えることで自由に設定しうることは明らかである。
【００６０】
この様に本実施の形態では、さまざまな距離範囲、インジケータの切り替わる距離、および複数のインジケータが共通に表現する距離範囲の大きさは自由に設定することが可能である。
【００６１】
なお、本実施の形態においては、切り換え表示するインジケータの数を２種類としたが、図３の処理にインジケータの切り替わりの判断条件を追加し、インジケータの数をさらに増やすことは容易であり、本発明を用いて複数の距離範囲に応じたインジケータを表示することが可能である。
【００６２】
本発明は、一例として、前述した実施形態の機能を実現するソフトウェアのプログラムコードを、インターネットなどのネットワークを介して撮像装置に供給し、撮像装置のコンピュータ（またはＣＰＵやＭＰＵ）が記憶媒体に格納されたプログラムコードを読み出し実行することによって達成できる。
【００６３】
この場合、記憶媒体から読み出されたプログラムコード自体が前述した実施形態のＣＰＵ５０の機能を実現することになり、そのプログラムコードを記憶した記憶媒体は本発明を構成することになる。
【００６４】
プログラムコードを供給するための記憶媒体としては、例えば、フロッピー（Ｒ）ディスク、ハードディスク、光ディスク、光磁気ディスク、ＣＤ−ＲＯＭ、ＣＤ−Ｒ、磁気テープ、不揮発性のメモリカード、ＲＯＭなどを用いることができる。
【００６５】
また、コンピュータが読み出したプログラムコードを実行することにより、前述した実施形態の機能が実現されるだけでなく、そのプログラムコードの指示に基づき、コンピュータ上で稼動しているＯＳ（オペレーティングシステム）などが実際の処理の一部または全部を行い、その処理によって前述した実施形態の機能が実現される場合も含まれる。
【００６６】
さらに、記憶媒体から読み出されたプログラムコードが、コンピュータに挿入された機能拡張ボードやコンピュータに接続された機能拡張ユニットに備わるメモリに書き込まれた後、そのプログラムコードの指示にもとづき、その機能拡張ボードや機能拡張ユニットに備わるＣＰＵなどが実際の処理の一部または全部を行い、その処理によって前述した実施形態の機能が実現される。
【００６７】
本発明を上記記憶媒体に適用する場合、その記憶媒体には、先に説明したフローチャートに対応するプログラムコードを格納することになるが、簡単に説明すると、本発明の撮像装置に不可欠なモジュールを、記憶媒体に格納することになる。
【００６８】
【発明の効果】
以上説明したように、本発明によれば、合焦する被写体の距離を示すインジケータを遠距離、近距離で表示領域を分けて切り替え表示するときに、遠距離側と近距離側のインジケータに重複する範囲を設けることにより、遠距離・近距離の表示切り替えが頻繁に行われることがなくなる。
【図面の簡単な説明】
【図１】本実施の形態における撮像装置のブロック図。
【図２】本実施の形態における撮像装置の斜視図。
【図３】本実施の形態における撮像装置の動作処理フローチャート。
【図４】インジケータを表示するための動作処理において用いられるデータテーブルの一例を示す図。
【図５】画像表示部２−９上に表示されるインジケータの一例を示す図。
【符号の説明】
１０　撮像レンズ
４２　焦点制御回路
２−９　画像表示部
５−１，５−２　インジケータ
【図１】
2004094103.tif 000003
【図２】
2004094103.tif 000004
【図３】
2004094103.tif 000005
【図４】
2004094103.tif 000006
【図５】
2004094103.tif 000007